(57)【要約】【課題】二酸化炭素を用いて虫を誘引する虫捕獲装置であって、二酸化炭素ガス発生用の消費材料の補給が不要な装置を提供する。【解決手段】虫捕獲装置が、空気中の二酸化炭素を濃縮する二酸化炭素濃縮ユニットを備えている。【選択図】図１
2019129786.tif 000002
【特許請求の範囲】
【請求項１】
空気中の二酸化炭素を濃縮する二酸化炭素濃縮ユニットを備えた、虫捕獲装置。
【請求項２】
前記二酸化炭素濃縮ユニットは、空気を取り入れ、二酸化炭素の濃度が１０００ｐｐｍ以上である前記空気を放出する、請求項１に記載の虫捕獲装置。
【請求項３】
前記二酸化炭素濃縮ユニットに隣接した虫捕獲ユニットを備えた、請求項１又は２に記載の虫捕獲装置。
【請求項４】
前記二酸化炭素濃縮ユニットを収容し、吸込口を有する筐体をさらに備え、
前記吸込口に、前記虫捕獲ユニットが配置されている、請求項３に記載の虫捕獲装置。
【請求項５】
前記筐体の外観色が黒色又は茶色である、請求項４に記載の虫捕獲装置。
【請求項６】
前記二酸化炭素濃縮ユニットは、
二酸化炭素濃縮部と、
空気を前記二酸化炭素濃縮部に送り込む第１ポンプと、
前記二酸化炭素濃縮部から、二酸化炭素の濃度が高められた気体を引き出す第２ポンプとをさらに有する、請求項１から５のいずれか一項に記載の虫捕獲装置。
【請求項７】
前記二酸化炭素濃縮部は分離膜を有する、請求項６に記載の虫捕獲装置。
【請求項８】
前記分離膜は、シリコーンを含む、請求項７に記載の虫捕獲装置。
【請求項９】
虫誘引物質供給部をさらに備えた、請求項１から８のいずれか一項に記載の虫捕獲装置。
【請求項１０】
空気中の二酸化炭素を濃縮する二酸化炭素濃縮工程を含む、虫捕獲方法。
【発明の詳細な説明】
【技術分野】
【０００１】
本発明は、虫捕獲装置、及び虫捕獲方法に関する。
【背景技術】
【０００２】
虫を捕獲するために、その虫の走性を利用することがある。例えば、空気中に二酸化炭素ガスの濃度勾配を作り出し、その濃度勾配によって虫を誘引して虫を捕獲する技術が知られている。特許文献１には、飛翔昆虫を捕捉するための装置であって、可燃性材料を連続燃焼して、二酸化炭素を含む排気ガスを発生させる構成を備えたものが開示されている。
【先行技術文献】
【特許文献】
【０００３】
【特許文献１】特表２００７−５２９２３０号公報
【発明の概要】
【発明が解決しようとする課題】
【０００４】
しかしながら、特許文献１に開示の装置で使用される可燃性材料は、二酸化炭素発生用の消費材料であるので、装置の使用を続けるには補給が必要となる。そのような補給の作業は煩雑である。
【０００５】
上記の点に鑑みて、本発明の一形態は、二酸化炭素を用いて虫を誘引する虫捕獲装置であって、二酸化炭素ガス発生用の消費材料の補給が不要な装置を提供することを課題とする。
【課題を解決するための手段】
【０００６】
本発明の一形態は、空気中の二酸化炭素を濃縮する二酸化炭素濃縮ユニットを備えた虫捕獲装置である。
【発明の効果】
【０００７】
本発明の一形態によれば、二酸化炭素ガス発生用の消費材料の補給が不要な虫捕獲装置を提供することができる。
【図面の簡単な説明】
【０００８】
【図１】本発明の一形態による虫捕獲装置の概念図を示す。
【図２】本発明の一形態による虫捕獲装置の斜視図を示す。
【図３】図２に示す虫捕獲装置の、筐体の上面及び側面を取り外した状態を示す。
【図４Ａ】図２に示す虫捕獲装置の虫捕獲ユニットの斜視図を示す。
【図４Ｂ】図４Ａの虫捕獲ユニットの分解図である。
【図５】実施例の虫捕獲試験における室内を上から見た図である。
【発明を実施するための形態】
【０００９】
従来の虫捕獲装置では、可燃性材料を燃焼させたり、ドライアイスを昇華させたりすることによって二酸化炭素ガスを新たに生じさせて、濃度勾配を作り出している。よって、従来の装置では、二酸化炭素ガスの濃度勾配を維持するためには、二酸化炭素ガス発生用の材料の補給を行う必要があり、手間及びコストがかかっていた。
【００１０】
これに対し、本発明の一形態による虫捕捉装置は、空気中の二酸化炭素を濃縮する二酸化炭素濃縮ユニットを備えている。この二酸化炭素濃縮ユニットは、空気中の二酸化炭素を取り入れ、取り入れられた空気中の二酸化炭素濃度よりも高い濃度で二酸化炭素を含むガス（高濃度二酸化炭素含有ガスともいう）を放出することができる手段である。このような二酸化炭素濃縮ユニットによって、空間内で二酸化炭素の濃度を局所的に上昇させ、虫を誘引するための二酸化炭素の濃度勾配を形成することができる。本形態による装置では材料の補給は不要であるので、装置の機能を維持するための手間を省くことができる。
【００１１】
また、二酸化炭素ガスを新たに発生し続ける従来の装置を室内で使用した場合には、室内の二酸化炭素の濃度が上昇するため、在室者が不快感を覚えたり、場合によっては在室者の健康が損なわれたりする可能性がある。しかし、本形態による装置は、空間内に二酸化炭素の濃度が高い部分を局所的に形成するものであるので、室内で使用を続けても室内の二酸化炭素濃度が全体として上昇するわけではない。そのため、室内で使用した場合の安全性も高い。
【００１２】
図１に、本発明の一形態による虫捕獲装置１の概念図を示す。図１に示すように、虫捕獲装置１は、二酸化炭素濃縮ユニット１０を備えている。二酸化炭素濃縮ユニット１０は、空気中の二酸化炭素（ＣＯ２）を濃縮する構成、すなわち空気（Ａｉｒ）を取り入れ、高濃度二酸化炭素含有ガスＧＨを放出する構成を有している。
【００１３】
二酸化炭素濃縮ユニット１０によって放出される高濃度二酸化炭素含有ガスＧＨの濃度は、捕獲対象となる虫が引き寄せられる濃度とすることができ、好ましくは１０００ｐｐｍ以上、より好ましくは１２００ｐｐｍ以上、さらに好ましくは１４００ｐｐｍ以上、特に好ましくは２０００ｐｐｍ以上であってよい。このような濃度とすることにより、虫、特に蚊、ハエ等の飛翔性昆虫を効果的に誘引することができる。なお、高濃度二酸化炭素含有ガス中の二酸化炭素濃度の上限は、装置の設置場所、室内で使用する場合には、室内の広さ、装置から放出される高濃度二酸化炭素含有ガスの流量等にもよるが、安全性の観点等から、放出される高濃度二酸化炭素含有ガス中の二酸化炭素濃度は、３００００ｐｐｍ以下、好ましくは１００００ｐｐｍ以下であってよい。高濃度二酸化炭素含有ガス中の二酸化炭素濃度を３００００ｐｐｍ以下、つまり人の呼気中の二酸化炭素濃度と同程度の濃度以下とすることで、二酸化炭素濃度が過度に高い領域の形成を局所的にでも防止し、安全性をより一層向上させることができる。また、二酸化炭素濃縮ユニット１０によって、空気中の二酸化炭素を３倍以上、好ましくは４倍以上、より好ましくは５倍以上濃縮することができると好ましい。
【００１４】
図１に示すように、虫捕獲装置１は、二酸化炭素濃縮ユニット１０に隣接する虫捕獲ユニット３０を有していてよい。虫捕獲ユニット３０は、二酸化炭素濃縮ユニット１０から放出される高濃度二酸化炭素ガスＧＨに誘引されて虫捕獲装置１に寄ってきた虫を捕獲し、回収する構成を有する。虫捕獲ユニット３０は、捕獲対象となる虫の大きさよりも小さい目を有するフィルタ、流体を透過させることのできる粘着シート、或いは後述のように粘着糸の集合体等を備えていてよい。
【００１５】
また、虫捕獲装置１は、二酸化炭素濃縮ユニット１０を収容する筐体２０を備えてよい。図示の形態では、筐体２０は吸込口２１を備えており、空気（Ａｉｒ）はこの吸込口２１から筐体２０内部へと流入する。このように筐体２０内に流入した空気が、二酸化炭素濃縮ユニット１０に取り入れられる。吸込口２１には、上述の虫捕獲ユニット３０が配置されていてよい。
【００１６】
吸込口２１に虫捕獲ユニット３０を配置したことで、筐体２０内に流入する空気中の虫を予め除去することができるので、二酸化炭素濃縮ユニット１０内に虫が入り込んでその機能を低下させることを防止することができる。なお、図示の形態では、虫捕獲ユニット３０は、筐体２０の内側に設けられているが、筐体２０の外側に設けられていてもよい。また、虫捕獲ユニット３０は筐体２０と別体にすることもできる。
【００１７】
筐体２０の外観色には黒色及び茶色の少なくとも一方が含まれていると好ましく、筐体２０の外観色が黒色又は茶色であるとより好ましい。小型飛翔性昆虫、例えば蚊やハエは黒色又は茶色に対して走性があるといわれているため、筐体２０全体の外観色を黒色又は茶色とすることによって虫が虫捕獲装置１に誘引されやすくなり、虫の捕獲率を上げることができる。
【００１８】
二酸化炭素濃縮ユニット１０は、二酸化炭素を濃縮する機能を有する二酸化炭素濃縮部１１と、空気を二酸化炭素濃縮部１１に送り込む第１ポンプ１２と、二酸化炭素濃縮部１１から二酸化炭素の濃度が高められた気体（高濃度二酸化炭素含有ガス）を引き出す第２ポンプ１３とを備えている。第１ポンプ１２及び第２ポンプ１３によって、高濃度二酸化炭素含有ガスを効率よく放出させることができる。しかし、二酸化炭素濃縮ユニット１０又は筐体２０が、十分な量の高濃度二酸化炭素含有ガスを放出できる別の構成を備えていれば、二酸化炭素濃縮ユニット１０の第１ポンプ１２及び第２ポンプの少なくとも一方を省くことができる。
【００１９】
二酸化炭素濃縮部１１の構成は、二酸化炭素ガスを新たに発生させずに空気中の二酸化炭素を濃縮するもの、すなわち空気中の二酸化炭素を取り入れて高濃度二酸化炭素含有ガスを放出するものであれば、特に限定されない。二酸化炭素濃縮部１１は、二酸化炭素に対する選択的透過性を有する分離膜、二酸化炭素を可逆的に吸脱着可能な吸着体等であってよい。このうち、放出される二酸化炭素の濃度の制御が容易であること等から、二酸化炭素濃縮部１１が分離膜を有するものであると好ましい。
【００２０】
二酸化炭素濃縮部１１における、二酸化炭素に対する選択的透過性を有する分離膜は、二酸化炭素ガスの透過性が空気の透過性に対して高いものであり、二酸化炭素ガスの透過性が比較的大きく、窒素及び酸素の少なくとも一方の透過性が比較的小さいものとすることができる。これにより、取り入れた空気を、分離膜を通過した二酸化炭素濃度が高いガスと、分離膜を通過しなかった二酸化炭素濃度が低いガスとに分離することができる。
【００２１】
分離膜における二酸化炭素の透過係数（透過率）は、例えば、空気の透過係数の２．５倍以上、好ましくは３倍以上、より好ましくは５倍以上であってよい。また、二酸化炭素ガスの透過係数は、窒素の透過係数の２．５倍以上、好ましくは３倍以上、より好ましくは５倍以上であってよく、酸素の透過係数の２．５倍以上、好ましくは３倍以上、より好ましくは５倍以上であってよい。なお、透過係数（透過率）は、膜を透過するガスの、単位厚さ、単位面積、単位時間、及び材料両面間の単位分圧差当たりの体積で表したものとすることができる。
【００２２】
分離膜としては、二酸化炭素に対する選択的透過性を有するとともに、水蒸気に対する選択的透過性を有するものが好ましい。これにより、放出されるガスに含まれる水蒸気の濃度を高めることができるので、動物の呼気に近い成分のガスを放出することができる。そのため、動物の呼気に反応してその位置を探知するタイプの虫（例えば蚊等）の誘引に有用である。水蒸気の濃度を高める観点からは、水蒸気の透過係数が空気の透過係数の１０倍以上、好ましくは２０倍以上、より好ましくは５０倍以上の分離膜を用いることができる。
【００２３】
なお、分離膜は、空気中の二酸化炭素以外の成分、つまり窒素若しくは酸素又はその両方に対する選択的透過性が高いものであってもよい。このような分離膜により、取り入れた空気を、分離膜を通過した二酸化炭素濃度が低いガスと、分離膜を通過しなかった二酸化炭素濃度が高いガスとに分離することができる。
【００２４】
分離膜は、上述のように二酸化炭素に対する高い選択的透過性、或いは窒素若しくは酸素又はその両方に対する高い選択的透過性を有するものであれば、低分子又は高分子の有機材料からなるものであっても無機材料からなるものであってよい。分離膜は、シリコーン、ポリエチレングリコール、ポリビニルアルコール、ポリイミドなどの高分子、ゼオライトなどのセラミック等を含むものであると好ましい。より具体的には、シリコーン樹脂、シリコーンゴム、液状のシリコーンを多孔性膜に塗布したもの等が挙げられる。このうち、シリコーンゴム製の分離膜は、二酸化炭素及び水蒸気の透過率が高く、強度も比較的高いことから好ましい。
【００２５】
二酸化炭素濃縮部１１が、二酸化炭素を吸脱着可能な吸着体を利用する場合には、吸着体としては、１〜３級アミンを有する塩基性材料、炭酸カリウムや炭酸ナトリウム等の炭酸塩、活性炭、ゼオライト、ガラス、アルミナ等を用いることができる。
【００２６】
図示の形態では、二酸化炭素濃縮部１１として、二酸化炭素に対する選択的透過性を有する中空糸膜モジュールを用いている。中空糸膜モジュールは、多数の中空糸膜が束ねられ、ケーシング等に収容されたモジュールである。中空糸膜を用いた二酸化炭素濃縮部１１は、ガスとの接触面積を大きくできるため、好ましい。図示の形態では、二酸化炭素濃縮部１１は、第１ポンプ１２から送られた空気を空気入口１１３から取り入れて、中空糸膜を透過させ、高濃度二酸化炭素含有ガス出口１１４ａ、１１４ｂから放出する。また、低濃度二酸化炭素含有ガスは、低濃度二酸化炭素含有ガス出口１１５から放出される。高濃度二酸化炭素含有ガス出口１１４ａ、１１４ｂから放出されたガスＧＨは第２ポンプ１３によって引き出され、出口２２から外部へと放出される。出口２２から放出される、すなわち虫捕獲装置１から放出される高濃度二酸化炭素含有ガスＧＨの流量は、例えば０．０５Ｌ／ｍｉｎ以上、好ましくは０．１Ｌ／ｍｉｎ以上とすることができる。
【００２７】
また、二酸化炭素濃縮部１１の低濃度二酸化炭素含有ガス出口１１５から放出される低濃度酸化炭素含有ガスＧＬは、出口２３を通って外部へと放出される。
【００２８】
二酸化炭素濃縮ユニット１０には、虫を引き寄せる誘引物質をガスに供給することのできる虫誘引物質供給部４０を設けることができる。誘引物質供給部４０は、図１に示すように、二酸化炭素濃縮部１１の低濃度二酸化炭素含有ガス出口１１５に後置することができる。また、この誘引物質供給部４０は、筐体２０の高濃度二酸化炭素含有ガス放出口２２に設けることもできるし、二酸化炭素濃縮ユニット１０とは別個に、筐体２０の外部に独立して設けることもできる。誘引物質供給部４０で供給される誘引物質としては、捕獲対象となる虫を誘引できるものであればよい。例えば、捕獲対象虫が蚊である場合には、乳酸、脂肪酸等の誘引物質を用いることができる。
【００２９】
筐体２０は、出口２４に、筐体２０内部の気体を外部へと送り出すファン２８が設けられていてもよい。ファン２８が設けられていることで、筐体２０の吸込口２１から吸い込まれる空気の量を増加させることができ、虫の捕獲効率を上げることができる。二酸化炭素濃縮ユニット１０及び筐体２０の構成によっては、出口２４及びファン２８を省くことができる。
【００３０】
図２に、本発明の一形態による虫捕獲装置１の一例をより具体的に示す。図２に示す虫捕獲装置１は筐体２０を備えており、この筐体２０の内部に二酸化炭素濃縮ユニット１０及び虫捕獲ユニット３０が配置されている。図２には、筐体２０の側面に設けられた出口２２、２３が示されている。出口２２からは高濃度二酸化炭素含有ガス用放出管１８が延びており、この高濃度二酸化炭素含有ガス用放出管１８は、筐体２０内の二酸化炭素濃縮部１１の高濃度二酸化炭素含有ガス出口１１４ａ、１１４ｂに第１ポンプ１３を介して（図１）接続された管である。出口２２から延びる放出管１８は、筐体２０を囲むように環状に形成されている。放出管１８には複数の放出孔１８ａが設けられており、この放出孔１８ａから高濃度二酸化炭素含有ガスＧＨを筐体２０の周囲へ複数の異なる方向へと放出することができる。
【００３１】
また、出口２３からは低濃度二酸化炭素含有ガス用放出管１９が延びており、この低濃度二酸化炭素含有ガス用放出管１９は、筐体２０内の酸化炭素濃縮部１１の低濃度二酸化炭素含有ガス出口１１５に誘引物質供給部４０を介して（図１）接続され、誘引物質を含む低濃度二酸化炭素含有ガスＧＬを放出する管である。出口２３から延びる放出管１９は、筐体２０上に環状に配置されている。放出管１９には複数の放出孔１９ａが設けられており、この放出孔１９ａから、誘引物質を含む低濃度二酸化炭素含有ガスを筐体２０外部へ放出することができる。
【００３２】
吸込口２１は、筐体２０の上面に設けられており、この吸込口２１を覆うように放熱板２５が設けられている。放熱板２５によって、虫捕獲装置１で発生した熱を外部に効率よく逃がすことができる。また、放熱板２５は、虫捕獲装置１の周囲に温度勾配を作り出すことができるので、温度勾配を感知して引き寄せられる虫の捕獲に有用である。
【００３３】
図３に、図２の虫捕獲装置１の筐体２０の上面及び側面を、虫捕獲ユニット３０とともに取り外した状態を示す。図３では、各要素は模式的に示されており、電気的な接続等の詳細は省略する。図３に示すように、筐体２０の底部には、二酸化炭素濃縮部１１と、これに前置された第１ポンプ１２と、後置された第２ポンプ１３とを有する二酸化炭素濃縮ユニット１０が配置されている。また、第１ポンプ１２及び第２ポンプ１３、並びに必要に応じて虫捕獲ユニット３０の計数部３１を作動させるための電源部１４及び制御部１５が設けられていてよく、必要に応じて変圧器等も設けられていてもよい。虫捕獲装置１の電源としては、商用電源、一次電池、二次電池等を用いることができる。また、再生可能エネルギーを利用した発電装置（太陽光発電機等）を用いた場合には、商用電源がない場所でも虫捕獲装置１を長期的に利用することができる。
【００３４】
図４Ａに、虫捕獲ユニット３０の一例を示す。図４Ａに示す虫捕獲ユニット３０は、虫を数えるための計数部３１と、虫を捕獲するための捕獲部３２とが重ねられた構成を有している。また、捕獲部３２の下に補助捕獲部３３が設けられ、さらに、補助捕獲部３３の下には底部３４が設けられている。
【００３５】
図４Ｂに、図４Ａの虫捕獲ユニット３０の分解図を示す。図４Ｂに示すように、虫捕獲ユニット３０は複数の部分から構成されていてよい。計数部３１は、中央部に気体を透過できる通路を有するホルダ３１ａを備えている。この通路の両側面にはスリットが形成されており、このスリットに嵌めこむように計数センサ３５を設けることができる。計数センサ３５は、投光部と受光部とによって虫を検出できるエリア検出型センサ等であってよい。
【００３６】
また、捕獲部３２も、ホルダ３１ａと同様のホルダ３２ａを備えている。このホルダ３２ａのスリットには、虫を粘着して捕獲するための粘着糸３８が複数設けられたインサート３２ｂを差し込むことができるようになっている。粘着糸３８は、例えば、綿、麻、毛などの天然繊維、アクリル、ポリエステル、ナイロン、レーヨン、アセテート等の化学繊維等に、粘着性の組成物を塗布してなる糸であってよく、捕獲対象の虫の、大きさに応じた間隔で配置することができる。粘着糸３８は、互いに平行に配置してもよいし交差するように配置してもよい。インサート３２ｂに粘着性の要素が配置されていることで、虫を確実に捕獲することができる。また、虫を潰さないで捕獲して回収できるという観点からは、インサート３２ｂが、粘着性を有さない要素（粘着性のない網やフィルタ等）を備えていると好ましい。
【００３７】
図４Ｂに示すように、捕獲部３２の下側には、補助捕獲部３３が配置されている。補助捕獲部３３は、捕獲部３２で捕獲できなかった虫を捕獲する他、虫以外の小さいゴミ等を捕獲することができる。捕獲部３２も、ホルダ３１ａ、３２ａと同様のホルダ３３ａを備えており、そのスリットに、フィルタが配置されたインサート３３ｂを差し込むことができるようになっている。インサート３３ｂに配置されるフィルタは、気体を透過させることができ、微小の固体を収集することができるものであれば、特に限定されない。このフィルタは、通気性があり表面に粘着性のあるシートであると好ましい。なお、捕獲部３２にて虫を確実に捕獲し、且つゴミ等も除去できるのであれば、補助捕獲部３３は省くことが出来る。
【００３８】
なお、上記の図２〜図４Ｂに示した虫捕獲装置１の構成は一例にすぎず、特許請求の範囲を逸脱しない範囲で様々な変形、変更を加えることができる。
【００３９】
本形態の虫捕獲装置１は、二酸化炭素に対して正の走性を有する虫の捕獲に利用することができる。本形態の装置は、飛翔性昆虫、特に蚊、例えばヤブカ類（ヒトスジシマカ、ネッタイシマカ等）、イエカ類（アカイエカ等）、ハマダラカ類、ハエ、例えばショウジョウバエ類、アブ、ヌカカ、ブユ、南京虫等の吸血昆虫、ツツガムシ、マダニなどのダニ類等に好適に利用できる。
【００４０】
また、本発明の一形態は、上述の虫捕獲装置１を用いた虫捕獲方法であってよい。より具体的には、本形態は、空気中の二酸化炭素を濃縮する二酸化炭素濃縮工程を含む、虫捕獲方法であってよい。この虫捕獲方法によれば、二酸化炭素発生用の消費材料を補給する必要がないため、手間及びコストを省くことができる。また、二酸化炭素を新たに発生する装置ではないので、装置周囲の二酸化炭素濃度が上昇し続けることはなく、室内でも安全に使用することができる。
【実施例】
【００４１】
（実施例１）
図２、３に示したような構成を有する虫捕獲装置を準備した。二酸化炭素濃縮部１１としては、内径が１７０μｍ、外径が２５０μｍ、有効長さが２００ｍｍのシリコーン製中空糸膜を３８，５００本束ねた構成（有効膜面積：０.５４ｍ２）を収容した中空糸膜モジュール（商品名：ＮＡＧＡＳＥＰ  Ｍ４０−０５Ｓ、永柳工業社製）を用いた。
【００４２】
また、筐体の吸込口に、図４Ａ、４Ｂで説明したものと同様の虫捕獲ユニットを配置した。虫捕獲ユニットに含まれる捕獲部には、８０ｍｍ×８０ｍｍのガス通路に、粘着糸（ナイロン製）を、０．８ｍｍ間隔で並置したインサートを用いた。
【００４３】
図４Ａ、４Ｂに示した実施例１の虫捕獲装置の筐体表面の色は黒色であった。
【００４４】
（比較例１）
比較例の装置として、市販の蚊捕獲装置を準備した。当該装置は、送風機によって吸込口から吸気された空気が濾過フィルタを通って排気されるようになっており、濾過フィルタの吸込口側には粘着シートが設けられている。また、筐体の外観は黒色である。
【００４５】
＜虫捕獲試験＞
実施例１及び比較例１の装置を、密閉された無人の試験室（６畳相当、床面積１０．２ｍ２（２．９ｍ×３．５ｍ）、高さ２．２ｍ）内に設置した。両装置は、床上に壁面から３０ｃｍ離して配置した。また、室内の隅の２箇所に砂糖水を入れた容器を配置した（図５）。
【００４６】
試験室の中央より、１００匹のヒトスジシマカ（Ａｅｄｅｓ  ａｌｂｏｐｉｃｔｕｓ）（羽化後日数１１〜２１日）の雌を放出した。そして、試験開始から３時間、室内の天井に設置された室内灯を点灯して室内を明るく保った。その後、消灯して、８時間室内が暗い状態を保った。さらに、再び室内灯を点灯して、１１時間にわたり室内を明るく保った。このように計２２時間の試験時間後、虫捕捉装置内に捕捉された虫数を計測した。
【００４７】
試験中は、実施例１の装置は、吸込口での風量が１ｍ３／ｍｉｎとなるように作動させた。また、高濃度二酸化炭素含有ガス放出孔から放出されるガス中の二酸化炭素濃度は１４００ｐｐｍであった。比較例１の装置は、「おやすみモード」（風量１ｍ３／ｍｉｎ）で作動させた。なお、二酸化炭素濃度はガス検知管にて測定した。
【００４８】
同様の試験をさらに２回繰り返し、合計３回の試験を行った。放出されたヒトスジシマカは、２回目の試験では９５匹（羽化後日数１２〜２２日）、３回目の試験では９３匹（羽化後日数１３〜２３日）であった。
【００４９】
なお、上述のように比較例１の装置には紫外線光源が設けられているが、ヒトスジシマカは紫外線に対する走性を有さないことが知られている。そのため、比較例１の装置の紫外線光源は本試験に影響はないと考えられる。
【００５０】
＜虫の計数＞
試験後、実施例１の装置については、捕獲部を取り出し、フィルタ（粘着糸）に付着した虫の数を目視にて数えた。また、フィルタに付着していないが装置内に入り込んだ虫の数も数えた。比較例１の装置については、濾過フィルタを備えた部分を外して、粘着シートに付着した虫の数を目視にて数えた。また、粘着シートに付着していないが装置内に入り込んだ虫の数も数えた。また、いずれの装置にも捕獲されず、室内に残った虫数も数えた。
【００５１】
表１に結果を示す。なお、捕獲率（％）は、供試数に対する、３回の試験の捕獲数の合計とした。
【００５２】
【表１】
2019129786.tif 000003
【００５３】
表１より、二酸化炭素を用いて虫を誘引する実施例１の虫捕獲装置が、比較例１の虫捕獲装置より優れた虫捕獲率を示すことが確認できた。
【符号の説明】
【００５４】
１  虫捕獲装置
１０  二酸化炭素濃縮ユニット
１１  二酸化炭素濃縮部（中空糸膜モジュール）
１２  第１ポンプ
１３  第２ポンプ
１４  電源部
１５  トランス
１６  制御部
１８  高濃度ＣＯ２含有ガス用放出管
１８ａ  高濃度ＣＯ２含有ガス放出孔
１９  低濃度ＣＯ２含有ガス用放出管
１９ａ  低濃度ＣＯ２含有ガス用放出孔
２０  筐体
２１  吸込口
２２  出口（高濃度ＣＯ２含有ガス出口）
２３  出口（低濃度ＣＯ２含有ガス出口）
２４  出口
２５  放熱板
２８  ファン
３０  虫捕獲ユニット
３１  計数部
３１ａ  ホルダ
３２  捕獲部
３２ａ  ホルダ
３２ｂ  インサート
３３  補助捕獲部
３３ａ  ホルダ
３３ｂ  インサート
３４  底部
３５  計数センサ
３８  粘着糸
３９  通気性膜
４０  誘引物質供給部
１１３  空気入口
１１４ａ、１１４ｂ  高濃度ＣＯ２含有ガス出口
１１５  低濃度ＣＯ２含有ガス出口
ＧＨ  高濃度ＣＯ２含有ガス
ＧＬ  低濃度ＣＯ２含有ガス
【図１】
2019129786.tif 000004
【図２】
2019129786.tif 000005
【図３】
2019129786.tif 000006
【図４Ａ】
2019129786.tif 000007
【図４Ｂ】
2019129786.tif 000008
【図５】
2019129786.tif 000009